(57)【要約】      （修正有）【課題】低デューティ比で駆動される表示部と高デューティ比で駆動される表示部とが一つの液晶表示素子に含まれる場合であっても、両表示部の明るさを近づける電圧の調整を容易にする。【解決手段】第１透明基板１と第２透明基板２との間に封止され、電圧が印加されていないときに垂直配向となる負の誘電異方性を有する液晶を含む液晶層７とを備え、液晶が所定のプレチルト角を有して垂直配向するように配向処理され、第１の透明電極３と第２の透明電極４のうちのいずれか一方の透明電極に、電圧を印加した場合において液晶の配向状態に悪影響を及ぼさないように小片の開口部が設けられる。【選択図】図１
2013238761.tif 000002
【特許請求の範囲】
【請求項１】
低デューティ比で駆動される第１表示領域に第１の透明電極が配置され、高デューティ比で駆動される第２表示領域に第３の透明電極が配置された第１透明基板と、
前記第１の透明電極に対向する第２の透明電極が配置され、前記第３の透明電極に対向する第４の透明電極が配置された第２透明基板と、
前記第１透明基板と前記第２透明基板との間に封止され、電圧が印加されていないときに垂直配向となる負の誘電異方性を有する液晶を含む液晶層とを備え、
前記液晶が所定のプレチルト角を有して垂直配向するように配向処理され、
前記第１の透明電極と前記第２の透明電極のうちのいずれか一方の透明電極に、電圧を印加した場合において前記液晶の配向状態に悪影響を及ぼさないように小片の開口部が設けられる
ことを特徴とする液晶表示素子。
【請求項２】
小片の開口部の形状は矩形または円形であり、当該開口部の幅は３μｍ〜６μｍの範囲に設定される
請求項１記載の液晶表示素子。
【請求項３】
小片の開口部は、配向処理が行われた方向に３μｍ〜２０μｍの範囲の間隔で設けられ、配向処理が行われた方向と直交する方向に４μｍ〜２０μｍの範囲の間隔で設けられる
請求項１または請求項２記載の液晶表示素子。
【発明の詳細な説明】
【技術分野】
【０００１】
本発明は、ＶＡ（Vertical Alignment）型の液晶表示素子に関する。
【背景技術】
【０００２】
液晶表示素子として、電圧が印加されないときの液晶層における液晶分子の配向（初期配向）が基板面に対して略垂直な垂直配向となる液晶表示素子がある。このような液晶表示素子をＶＡ（Vertical Alignment）型の液晶表示素子と呼ぶ。ＶＡ型の液晶表示素子では、誘電異方性が負である液晶が用いられる。そして、液晶層に電圧を印加することによって、液晶（液晶分子）の配向方向を基板面に平行な方向に変化させる。このようなＶＡ型の液晶表示素子の例が特許文献１に記載されている。ＴＮ（Twisted Nematic ）型の液晶表示素子やＳＴＮ（Super Twisted Nematic ）型の液晶表示素子と比較すると、ＶＡ型の液晶表示素子では応答性が高く、高コントラストの表示を実現することができる（特許文献２参照）。
【０００３】
電圧を印加していないときの液晶の配向が基板に対して完全に垂直である場合には、電圧を印加したときに液晶が傾く方向を規定することができない。その結果、液晶の配向が一様にならず表示品位が低下する。そのため、何らかの方法で、プレチルト角を付けるか、電圧印加時に液晶が傾く方向を規定する必要がある。プレチルト角を付ける方法または電圧印加時に液晶が傾く方向を規定する方法として、印加電圧による電界方向を基板面に対して斜めにする斜め電界法、電極等にリブ構造を設けるリブ法、酸化珪素（ＳｉＯ２）を基板に斜めに蒸着する斜め蒸着法等がある。また、垂直配向性の配向膜にラビング処理を施すことによって液晶の配向方向を規定することもできる。
【先行技術文献】
【特許文献】
【０００４】
【特許文献１】特開２００３−２０７７８２号公報（段落０００２−０００４）
【特許文献２】特開２００６−１１３６２号公報（段落００１４）
【発明の概要】
【発明が解決しようとする課題】
【０００５】
このような液晶表示素子を利用した表示方法に新たな付加価値をもたせるために、セグメント表示部とフルドット表示部が液晶表示素子の同一画面上に表示されることが望まれている。図６は、セグメント表示部とフルドット表示部とが液晶表示素子の同一画面上に表示された例を示す説明図である。図６では、画面上の一部の領域にセグメント表示部９１による表示が行われ、他の一部の領域にフルドット表示部９２による表示が行われていることを示す。
【０００６】
図６に例示する表示を行う場合、セグメント表示部９１とフルドット表示部９２とで、駆動条件を変える方が好ましい。同じ駆動条件では、セグメント表示部９１の各セグメント及び、フルドット表示部９２のドット部とで、それぞれの点灯面積及び電極の引き回しが異なってくるため、接続抵抗値が異なり、明るさのムラとなって見えるからである。
【０００７】
一般に、セグメント表示部は、低デューティ比で駆動され、フルドット表示部は、高デューティ比で駆動される。すなわち、セグメント表示部９１とフルドット表示部９２とを１つの画面に表示する液晶表示素子の駆動条件として、異なる２つの駆動条件（低デューティ比による駆動、高デューティ比による駆動）を考慮する必要がある。
【０００８】
高デューティ比で駆動されるフルドット表示部９１を明るく表示するためには、液晶層のリターデーション△ｎ・ｄを大きくする必要がある。しかし、この液晶表示素子が低デューティ比で駆動される場合、駆動電圧に対する明るさの変化が大きいという問題点があった。したがって、セグメント表示部９１では、駆動電圧に対する明るさの変化が大きくなってしまう。
【０００９】
また、低デューティ比で駆動されるセグメント表示部９１の明るさと、高デューティ比で駆動されるフルドット表示部９２の明るさとは、近い方が好ましい。しかし、駆動電圧の調整だけでは、明るさの調整が難しいという問題点があった。
【００１０】
そこで、本発明は、低デューティ比で駆動される表示部と高デューティ比で駆動される表示部とが一つの液晶表示素子に含まれる場合であっても、両表示部の明るさを近づける電圧の調整を容易に行うことができるＶＡ型の液晶表示素子を提供することを目的とする。
【課題を解決するための手段】
【００１１】
本発明による液晶表示素子は、低デューティ比で駆動される第１表示領域（例えば、セグメント表示部）に第１の透明電極（例えば、第１の透明電極３）が配置され、高デューティ比で駆動される第２表示領域（例えば、フルドット表示部）に第３の透明電極（例えば、第３の透明電極５）が配置された第１透明基板（例えば、第１透明基板１）と、第１の透明電極に対向する第２の透明電極（例えば、第２の透明電極４）が配置され、第３の透明電極（例えば、第３の透明電極５）に対向する第４の透明電極（例えば、第４の透明電極６）が配置された第２透明基板（例えば、第２透明基板２）と、第１透明基板と第２透明基板との間に封止され、電圧が印加されていないときに垂直配向となる負の誘電異方性を有する液晶を含む液晶層（例えば、液晶層７）とを備え、液晶が所定のプレチルト角を有して垂直配向するように配向処理され、第１の透明電極と第２の透明電極のうちのいずれか一方の透明電極に、電圧を印加した場合において液晶の配向状態に悪影響を及ぼさないように小片の開口部が設けられることを特徴とする。
【００１２】
また、小片の開口部の形状は矩形または円形であり、その開口部の幅は３μｍ〜６μｍの範囲に設定されることが好ましい
【００１３】
また、小片の開口部は、配向処理が行われた方向に３μｍ〜２０μｍの範囲の間隔で設けられ、配向処理が行われた方向と直交する方向に４μｍ〜２０μｍの範囲の間隔で設けられることが好ましい。
【発明の効果】
【００１４】
本発明によれば、低デューティ比で駆動される表示部と高デューティ比で駆動される表示部とが一つの液晶表示素子に含まれる場合であっても、両表示部の明るさを近づける電圧の調整を容易に行うことができる。
【図面の簡単な説明】
【００１５】
【図１】本発明の液晶表示素子の構成例を示す模式的断面図。
【図２】電極に設けられる小片の開口部の例を示す説明図。
【図３】実施例のセグメント表示部におけるセグメント電極及びコモン電極の一部を示す拡大図。
【図４】実施例のフルドット表示部における列電極及び行電極の一部を示す拡大図。
【図５】比較例のセグメント電極及びコモン電極の一部を示す拡大図。
【図６】セグメント表示部とフルドット表示部とが液晶表示素子の同一画面上に表示された例を示す説明図。
【発明を実施するための形態】
【００１６】
以下、本発明の実施形態を図面を参照して説明する。
【００１７】
図１は、本発明の液晶表示素子の構成例を示す模式的断面図である。本発明の液晶表示素子はＶＡ型である。液晶表示素子は、第１透明基板１および第２透明基板２を含み、第１透明基板１と第２透明基板２との間に液晶層７が封止される。
【００１８】
以下、第１透明基板１および第２透明基板２を単に透明基板１，２と記す場合がある。なお、透明基板１，２間に液晶層７を封止するために用いられる周辺シール材の図示は省略している。
【００１９】
第１透明基板１には、第１の透明電極３と第３の透明電極５とが配置される。また、第２透明基板２には、第１の透明電極３に対向するように第２の透明電極４が配置され、第３の透明電極５に対向するように第４の透明電極６が配置される。
【００２０】
本実施形態では、第１の透明電極３と第２の透明電極４を用いて低デューティ比で駆動するセグメント表示が行われ、第３の透明電極５と第４の透明電極６を用いて高デューティ比で駆動するフルドット表示が行われる。すなわち、本実施形態の液晶表示素子は、セグメント表示を行う部分とフルドット表示を行う部分とが一体に形成されている。以下、セグメント表示を行う部分をセグメント表示部と記し、フルドット表示を行う部分をフルドット表示部と記す。ここで、低デューティ比による駆動とは、スタティック〜１／８デューティの駆動であり、高デューティ比による駆動とは、１／８デューティを超える駆動である。換言すれば、デューティの分母をｎとすると、ｎが９以上の整数の場合を高デューティ比と規定し、ｎが８以下の正の整数の場合を低デューティ比と規定している。なお、スタティックはｎが１の１／１デューティと見なすことができる。
【００２１】
セグメント表示部では、表示パターンの形状に合わせて設けられる１つ以上のセグメント電極（第１の透明電極３）が配置され、コモン電極（第２の透明電極４）が、少なくとも表示パターンに対向する領域に配置される。また、フルドット表示部では、第３の透明電極５として、複数の列電極が配置され、第４の透明電極６として、列電極に直交する複数の行電極が配置される。なお、第３の透明電極５として、複数の行電極が配置され、第４の透明電極６として、行電極に直交する複数の列電極が配置されるようにしてもよい。本実施形態では、第３の透明電極５が列電極であり、第４の透明電極６が行電極である場合を例に説明する。
【００２２】
透明基板１，２は、例えば、ガラス基板である。また、第１から第４までの各透明電極３〜６は、例えば、ＩＴＯ（Indium Tin Oxide）によって形成される。本実施形態では、第１の透明電極３がセグメント電極であり、第２の透明電極４がコモン電極である場合を例に説明する。ただし、第１の透明電極３をコモン電極とし、第２の透明電極４をセグメント電極としてもよい。
【００２３】
第１透明基板１には、液晶層７と反対側の面に第１偏光板８が設けられる。また、第２透明基板２にも、液晶層７と反対側の面に第２偏光板９が設けられる。偏光板８，９は、互いの吸収軸が直交するように配置される。換言すれば、偏光板８，９は、互いの偏光軸が直交するように配置される。
【００２４】
以下、液晶表示素子の長辺方向を基準軸とする。この場合、第１偏光板８は、視認側（すなわち、第１偏光板８側の面の方向から）から見た場合に、基準軸から第１偏光板８自身の吸収軸までの反時計回りの角度θ１が、θ１＝４５°になるように配置される。また、第２偏光板９は、視認側から見た場合に、基準軸から第２偏光板９自身の吸収軸までの反時計回りの角度θ２が、θ２＝１３５°になるように配置される。すなわち、第２偏光板９は、第２偏光板９自身の吸収軸が第１偏光板８の吸収軸と直交するように配置される。
【００２５】
なお、上記のような偏光板８，９の配置は、視認側から見た場合に、基準軸から第１偏光板８自身の偏光軸までの反時計回りの角度θ１が、θ１＝１３５°になるように第１偏光板８を配置し、第２偏光板９の偏光軸が第１偏光板８の偏光軸と直交するように第２偏光板９を配置することと同じである。
【００２６】
以下、第１偏光板８側の面の方向から画像を観察する場合を例に説明する。この場合、第２偏光板９側にバックライト（図示略）が配置される。ただし、第１偏光板８側にバックライトを設け、第２偏光板９側の面から画像を観察する構成であってもよい。
【００２７】
液晶層７の液晶は、電圧が印加されていないときに垂直配向となる負の誘電異方性を有し、所定のプレチルト角を有して垂直配向するように配向処理される。液晶の配向状態は、垂直配向性の配向膜に対して、例えば、ラビング処理をすることによっても規定できる。この場合、液晶はラビング処理方向に傾く。すなわち、この方向は、電界が印加されたときに液晶が傾く方向になる。
【００２８】
例えば、第１透明基板１の液晶層側の面に成膜した配向膜に、液晶表示素子の長辺方向に対して垂直方向にラビング処理を施すことで配向処理を行い、第２透明基板２の液晶層側の面に成膜した配向膜に対して、上述する垂直方向と反対方向にラビング処理を施すことで配向処理を行ってもよい。
【００２９】
このようにすることで、液晶層７の液晶分子は、電圧が印加されていないときに垂直配向となり、電圧が印加されると、第１透明基板１および第２透明基板２に対して水平に配向する。
【００３０】
なお、液晶の配向状態を規定する方法は、ラビング処理に限定されない。印加電圧による電界方向を基板面に対して斜めにする斜め電界法、電極等にリブ構造を設けるリブ法、酸化珪素（ＳｉＯ２）を基板に斜めに蒸着する斜め蒸着法等によっても、液晶の配向方向を規定できる。
【００３１】
液晶のプレチルト角は８５°〜８９．８°が好ましい。液晶のプレチルト角が８５°より小さい場合、電圧無印加時やＯＦＦ時の明るさが明るくなりコントラスト比が低下してしまうからである。また、液晶のプレチルト角が８９．８°より大きい場合、特に９０°になると、電圧が印加されたときに液晶分子の傾く方向がバラバラとなり、配向乱れやドメインを生じ、表示品位が低下するからである。
【００３２】
第１の透明電極３（セグメント電極）と第２の透明電極４（コモン電極）のうちのいずれか一方の透明電極には、液晶の配向状態に悪影響を及ぼさないように小片の開口部が設けられる。具体的には、第１の透明電極３（セグメント電極）と第２の透明電極４（コモン電極）のうちのいずれか一方の透明電極に、電圧を印加した場合にも、液晶の配向乱れを生じさせないように、また、透過率を低下させる効果を低減させないように、小片の開口部が設けられる。
【００３３】
言い換えると、第１の透明電極３（セグメント電極）と第２の透明電極４（コモン電極）のうちのいずれか一方の透明電極には、透過率を低減し且つ液晶の配向乱れを生じさせないように予め定められた範囲の大きさの開口部が予め定めた範囲の間隔で配置されるように形成される。
【００３４】
本実施形態では、第１の透明電極３（セグメント電極）に小片の開口部が設けられる場合を説明するが、第２の透明電極４（コモン電極）に小片の開口部が設けられるようにしてもよい。
【００３５】
以下、小片の開口部の好ましい形状および配置について説明する。
【００３６】
小片の開口部の形状は、矩形または円形である。小片の開口部の形状は、多角形や楕円形であってもよいが、四角形以上の正多角形あるいは円形が好ましく、さらに、正方形がより好ましい。なお、以下の説明では、小片の開口部として矩形の開口部が電極に設けられる場合について説明する。なお、図１に示す模式的断面図では、各電極に設けられる開口部の図示を省略している。
【００３７】
図２は、電極に設けられる小片の開口部の例を示す説明図である。図２に示す例では、小片の開口部１５が電極に設けられている。
【００３８】
各小片の開口部１５の幅は、３〜６μｍの範囲内に設定されていることが好ましい。小片の開口部の幅とは、矩形の場合、長辺の長さを示し、円形の場合、直径の長さを示す。図２に示す例では、辺４１，４２の長さが、３〜６μｍの範囲内に設定される。幅が３μｍ未満である場合、透過率を低下させる効果が少なくなるためである。一方、幅が６μｍよりも長い場合、各開口部により生じる斜め電界の影響が大きくなり、液晶の配向乱れを生じさせやすいからである。
【００３９】
各小片の開口部１５の幅が３〜６μｍの範囲内であれば、開口部１５は、異なるサイズおよび形状であっても良い。このように、各小片の開口部１５の幅を３〜６μｍの範囲内に設定することで、液晶の配向状態に悪影響を及ぼすことを抑制できる。
【００４０】
また、各小片の開口部１５の間隔は、配向処理が行われた方向に３μｍ〜２０μｍの範囲で設けられることが好ましく、また、配向処理が行われた方向と直交する方向に４μｍ〜２０μｍの範囲で設けられることが好ましい。特に、配向処理が行われた方向に３μｍ〜１５μｍ、配向処理が行われた方向と直交する方向に４μｍ〜１５μｍの範囲で設けられることが好ましい。
【００４１】
例えば、開口部が矩形の場合、配向処理が行われた方向に対して、一の開口部の端辺と他の開口部の端辺との距離が３μｍ〜２０μｍ、かつ、配向処理が行われた方向と直交する方向に対して、一の開口部の端辺と他の開口部の端辺との距離が４μｍ〜２０μｍになるように開口部を設けることが好ましい。
【００４２】
図２に示す例では、開口部１５に対して、幅４３が３μｍ以上、幅４４が２０μｍ以内、幅４５が４μｍ以上、および、幅４５が２０μｍ以内に、他の開口部が設けることが望ましい。言い換えると、他の開口部における頂点のうち開口部１５に最も近い頂点が図２に示す網掛け部分に存在するように開口部を設けることが望ましい。
【００４３】
配向処理が行われた方向の間隔が３μｍ〜２０μｍ、配向処理が行われた方向と直交する方向の間隔が４μｍ〜２０μｍであれば、各小片の開口部１５は、不規則に配置されてもよい。ただし、開口部を規則的に配置した方が、明るさのムラを抑えることができるため、より好ましい。例えば、網点（ハーフトーン）印刷におけるドットパターンのような規則に基づいて開口部を設けてもよい。
【００４４】
各小片の開口部１５の間隔が、配向処理が行われた方向で３μｍ未満、または、配向処理が行われた方向と直交する方向で４μｍ未満である場合、各開口部１５により生じる斜め電界の影響が大きくなり、液晶の配向乱れを生じやすいからである。
【００４５】
一方、各小片の開口部１５の間隔が、配向処理が行われた方向、または、配向処理が行われた方向と直交する方向で２０μｍより長いと、透過率を低下させる効果が小さくなるためである。
【００４６】
なお、図２では、配向処理が行われた方向と開口部の一方の辺とが平行である場合を例示しているが、開口部の辺の方向は、配向処理が行われた方向と平行でなくてもよい。
【００４７】
このように、セグメント表示部に液晶の配向状態に悪影響を及ぼさない小片の開口部を設けることで、セグメント表示部の明るさが抑えられ、フルドット表示部との明るさを同じにするための電圧調整が容易になる。
【００４８】
また、本実施形態において、液晶表示素子に、ＶＡ用の光学補償フィルムとして使用されているＣプレートや２軸フィルムを設けてもよい。これらを設けることにより、オフ（ＯＦＦ）時の透過率の角度依存性が良好になり、さらに広視野角が得られる。
【００４９】
なお、このような小片の開口部は、セグメント表示部における電極の全体に設けなくてもよい。例えば、同一デューティ比で駆動されるセグメント表示等において、電極の一部に上述する小片の開口部を設けることで、部分的に透過率を低くすることも可能である。
【実施例】
【００５０】
本実施例は、上記実施形態の液晶表示素子を実現した例である。
【００５１】
図３（ａ）は、本実施例のセグメント表示部におけるセグメント電極の一部を示す拡大図である。図３（ｂ）は、本実施例のセグメント表示部におけるコモン電極の一部を示す拡大図である。図４は、本実施例のフルドット表示部における列電極および行電極の一部を示す拡大図である。
【００５２】
セグメント表示部において、液晶の配向状態に悪影響を及ぼさないように小片の開口部をコモン電極に設ける。コモン電極に設ける小片の開口部は、ほぼ同じ大きさの正方形とする。また、正方形の開口部の幅を５μｍ、配向処理が行われた方向の隣接する正方形の開口部の間隔を４μｍ、配向処理が行われた方向と直交する方向の隣接する正方形の開口部の間隔を５μｍとした（図３参照）。なお、セグメント電極には小片の開口部を設けない。
【００５３】
一方、フルドット表示部では、縦方向に伸びる短冊状の複数の列電極と、これに交差する短冊状の複数の行電極をパターニングした。具体的には、各列電極および各行電極は、それぞれ線幅３５０μｍ、線間１０μｍとした。
【００５４】
次に、第１透明基板１および第２透明基板２の液晶層側の面に、垂直性の配向膜を成膜し、一方向にアンチパラレル（反平行）ラビング処理を施して、プレチルト角を８９．６°、リタデーションΔｎ・ｄを８１０ｎｍにした。また、液晶材料として、誘電異方性（Δε）が−２．７のものを用い、第１透明基板および第２透明基板の間に液晶層７（図１参照）を封止した。
【００５５】
第１偏光板８として、株式会社ポラテクノ製のＶＨＣ−１２８ＵＬ２ＳＺ−Ｋ１を用いた。第２偏光板９として、株式会社ポラテクノ製の０４５Ｒ６６０Ｎ２−ＶＨ３９Ｌ２Ｓ（Ｒｅ＝４５ｎｍ，Ｒｔｈ＝６６０ｎｍの光学補償フィルム付偏光板）を用いた。
【００５６】
液晶表示素子の長辺方向を基準軸として、観察者方向から見たときの基準軸から第１偏光板８（図１参照）の吸収軸までの反時計回りの角度をθ１とした場合、θ１＝４５゜になるように第１偏光板８を配置した。また、基準軸から第２偏光板９（図１参照）の吸収軸までの反時計回りの角度をθ２とした場合、θ２＝１３５゜になるように第２偏光板９を配置した。なお、本実施例では、第１偏光板８と第２偏光板９の吸収軸が直交するように配置したが、第１偏光板８と第２偏光板９の偏光軸が直交するように配置してもよい。
【００５７】
以上のように作製した液晶表示素子のフルドット表示部を、デューティ比１／４８で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【００５８】
また、以上のように作製した液晶表示素子のセグメント表示部を、デューティ比１／４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。さらに、後述する比較例の場合と比較すると、セグメント表示部の明るさを約３０％低下させることができるので、電圧の調整しやすく、セグメント表示部の明るさをフルドット表示部の明るさに近づけることができた。
【００５９】
［比較例］
比較例では、セグメント表示部において、コモン電極およびセグメント電極のいずれにも小片の開口部を設けないものとする。図５（ａ）は、比較例のセグメント表示部におけるセグメント電極の一部を示す拡大図である。図５（ｂ）は、比較例のセグメント表示部におけるコモン電極の一部を示す拡大図である。図５に例示するように、セグメント表示部において、コモン電極およびセグメント電極のいずれにも小片の開口部は設けられていない。
【００６０】
なお、フルドット表示部の電極の形態は、図４に例示する実施例の態様と同様である。また、透明基板１，２に成膜する配向膜および液晶層７に封止される液晶材料は、上記実施例と同様である。また、第１偏光板８および第２偏光板９に用いられた素材および配置方法も、上記実施例と同様である。
【００６１】
以上のように作製した液晶表示素子のフルドット表示部を、デューティ比１／４８で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【００６２】
また、以上のように作製した液晶表示素子のセグメント表示部を、デューティ比１／４で駆動したところ、良好な視認性が得られた。すなわち、電圧非印加時や電源オフ時には良好な黒色表示が得られ、電源をオンとして液晶に電圧を印加した場合には、視野角が広く、明るい白色表示が得られた。
【００６３】
しかし、比較例の場合、セグメント表示部とフルドット表示部の明るさが大きく異なる。そのため、セグメント表示部の電圧を調整して、フルドット表示部の明るさに近づけることを試みた。しかし、比較例のセグメント表示部では、電圧に対する明るさの変化量が大きいため、電圧を調整するだけで明るさをフルドット表示部と同じにするのは困難であった。
【００６４】
この結果から、上記実施例に示すように、セグメント表示部に液晶の配向状態に悪影響を及ぼさない小片の開口部を設けることで、セグメント表示部の明るさを抑えることができ、セグメント表示部とフルドット表示部との明るさを同じにするための電圧調整を容易に行うことができる。
【産業上の利用可能性】
【００６５】
本発明は、ＶＡ型の液晶表示素子に好適に適用可能である。
【符号の説明】
【００６６】
１  第１透明基板
２  第２透明基板
３  第１の透明電極
４  第２の透明電極
５  第３の透明電極
６  第４の透明電極
７  液晶層
８  第１偏光板
９  第２偏光板
１５  開口部
９１  セグメント表示部
９２  フルドット表示部
【図１】
2013238761.tif 000003
【図２】
2013238761.tif 000004
【図３】
2013238761.tif 000005
【図４】
2013238761.tif 000006
【図５】
2013238761.tif 000007
【図６】
2013238761.tif 000008